(57)【要約】【課題】本発明は魚のあたりが直接伝わり、且つ、カゴや錘のすっぽ抜け防止やハリスの絡み付きが激減されるカゴ釣用天秤を提供することを目的とする。【解決手段】略トの字状に形成した天秤本体１の上端に道糸取付部11を設け、天秤本体１の下端に錘取付部12を設け、天秤本体１の略トの字状の斜辺下端にハリス取付部13を設けると共に錘取付部12と道糸取付部11の間に、フック状の錘取付部12の端末が内側に挿入可能なコイルスプリング２を装着させ、且つ、ハリス取付部13を、弾性線材３の端部が容易に挿入可能な大きさのリング形状と成し、道糸取付部11を、道糸４と弾性線材３の端部を一緒に取付け可能な大きさの環状に形成させると良く、道糸取付部11に一端を取付けると共に他端をハリス取付部13に貫通させて天秤本体１に弾性線材３が具備されるものとしても良い。【選択図】図１
2014147301.tif 000002
【特許請求の範囲】
【請求項１】
線材で略トの字状に形成した天秤本体（１）の上端に環状の道糸取付部（11）を設け、前記天秤本体（１）の下端にフック状の錘取付部（12）を設け、前記天秤本体（１）の略トの字状の斜辺下端にリング状のハリス取付部（13）を設けると共に前記錘取付部（12）と前記道糸取付部（11）の間に、前記フック状の錘取付部（12）の端末が内側に挿入可能なコイルスプリング（２）を装着し、且つ、前記ハリス取付部（13）が、両端が取付け可能である弾性線材(３)の端部を容易に挿入可能な大きさのリング形状と成され、且つ、前記道糸取付部（11）が、道糸（４）の端部と前記弾性線材(３)の端部を一緒に取付け可能な大きさの環状に形成されたことを特徴とするカゴ釣用天秤。
【請求項２】
前記道糸取付部（11）に一端が取付けられると共に他端が前記ハリス取付部（13）に貫通されて前記天秤本体（１）に前記弾性線材(３)が具備された請求項１記載のカゴ釣用天秤
【請求項３】
前記道糸取付部（11）の形状が三角形である請求項１記載のカゴ釣用天秤。
【請求項４】
前記コイルスプリング（２）の巻き付け間隔が、前記錘取付部（12）側で密着された請求項１記載のカゴ釣用天秤。
【発明の詳細な説明】
【技術分野】
【０００１】
本発明は道糸とハリスとの間に介在させる魚釣りのカゴ釣用天秤に関する。
【背景技術】
【０００２】
一般に釣用天秤としては、図３に示すような形状のものがステンレスなどの線材を用いて形成されているが、型崩れを起こし易く、外力が加わって一旦折れ曲がると、その折曲箇所に癖が付いてしまい、後から手で直しても簡単に元に戻らないと言う問題点があり、且つ、天秤が型崩れを起こして変形した場合には、魚が掛かった時、瞬時に魚のあたりが敏感に伝わらなくなってしまうと言う問題点があった。これらの問題点を解消したものとしては、実開平１−１２１３７７号が提案されている。これは天秤本体を、使用温度以下に於いて擬弾性効果や超弾性効果を発現する形状記憶合金から成る線材にて構成するようにしたものである。
【０００３】
しかしながら、実開平１−１２１３７７号は、形状記憶合金の線材を用いるため、価格が高いものとなっていた。一方、図４に示す従来のカゴ釣用天秤が使用されて向い風での遠投を行うと、飛行中の風圧や着水時の衝撃力などにより、錘取付部（12）からカゴ（５）と錘（６）が図中矢印方向へすっぽ抜ける恐れが生じ、且つ、ハリス（７）の絡みが生じ易いと共にハリス（７）が図４に示す一点鎖線の如く動くとカゴ（５）や錘（６）などに絡み付く恐れがあった。しかも上記同様に天秤本体（１）が型崩れを起こして変形し易いため、魚のあたりが瞬時に且つ敏感に伝わらなくなってしまう。
【先行技術文献】
【特許文献】
【０００４】
【特許文献１】実開平１−１２１３７７号公報
【発明の概要】
【発明が解決しようとする課題】
【０００５】
本発明は魚のあたりが直接伝わり、且つ、カゴや錘のすっぽ抜け防止やハリスの錘側への絡み付き防止が容易に出来るカゴ釣用天秤を提供することを目的とする。
【課題を解決するための手段】
【０００６】
本発明は上記現状に鑑み成されたものであり、つまり、線材で略トの字状に形成した天秤本体の上端に環状の道糸取付部を設け、天秤本体の下端にフック状の錘取付部を設け、天秤本体の略トの字状の斜辺下端にリング状のハリス取付部を設けると共に錘取付部と道糸取付部の間に、フック状の錘取付部の端末が内側に挿入可能なコイルスプリングを装着させ、且つ、ハリス取付部を、両端が取付け可能である弾性線材の端部が容易に挿入可能な大きさのリング形状と成し、道糸取付部を、道糸の端部と弾性線材の端部を一緒に取付け可能な大きさの環状に形成させる構造とする。また一端を道糸取付部に取付けると共に他端をハリス取付部が貫通されて天秤本体に弾性線材を具備させるものとしても良い。又、前記道糸取付部の形状を三角形にすると良く、コイルスプリングの巻き付け方を、錘取付部側を密着させるものとするのが好ましい。尚、本発明に於ける「弾性線材」は、単線やより線を問わず、線材に弾性力を有したものであれば良い。又、本発明で言う「錘取付部の端末」とは、フック形状の開口側端部を指すものとする。
【発明の効果】
【０００７】
請求項１のように線材で略トの字状に形成した天秤本体（１）の上端に環状の道糸取付部（11）を設け、天秤本体（１）の下端にフック状の錘取付部（12）を設け、天秤本体（１）の略トの字状の斜辺下端にリング状のハリス取付部（13）を設け、且つ、錘取付部（12）と道糸取付部（11）の間に、フック状の錘取付部（12）の端末が内側に挿入可能なコイルスプリング（２）を装着することにより、フック状の錘取付部（12）の端末がコイルスプリング（２）によって閉鎖されるので、カゴ（５）や錘（６）のすっぽ抜けを防止することが可能となる。
又、ハリス取付部（13）を、両端が取付け可能である弾性線材(３)の端部が容易に挿入可能な大きさのリング形状と成すと共に、道糸取付部（11）を、道糸（４）の端部と弾性線材(３)の端部を一緒に取付け可能な大きさの環状に形成させることにより、弾性線材(３)の端部はハリス取付部（13）から直ぐに垂下ることなく適宜に曲がるので、カゴ（５）や錘（６）側から所定の距離を隔てて釣針(８)付きのハリス(７)を取付けることができ、釣針(８)側が錘（６）側に絡み付くことが激減するものとなる。しかも、釣針(８)付きのハリス(７) を、天秤本体（１）の略トの字状の斜辺を介せずに道糸取付部（11）に弾性線材(３)を介して取付けることにより、魚のあたりが道糸（４）に直接伝わるものとなる。このため、天秤本体（１）の略トの字状の斜辺が変形してもその影響を受けないので、釣果が向上するものとなる。
【０００８】
請求項２のように道糸取付部（11）に一端を取付けられると共に他端をハリス取付部（13）に貫通させて天秤本体（１）に弾性線材(３)が具備されることにより、カゴ（５）や錘（６）側から所定の距離を隔てて釣針(８)付きのハリス(７)を取付けることができ、釣針(８)側が錘（６）側に絡み付くことが激減するものとなり、釣針(８)付きのハリス(７) を、天秤本体（１）の略トの字状の斜辺を介せずに道糸取付部（11）に弾性線材(３)を介して取付けることにより、魚のあたりが道糸（４）に直接伝わるものとなるため、天秤本体（１）の略トの字状の斜辺が変形してもその影響を受けないので、釣果が向上するものとなる。
【０００９】
請求項３に示すように道糸取付部（11）の形状を三角形とすることにより、道糸（４）が頂角部へ取付けられると共に釣針(８)付きのハリス(７)が弾性線材(３)を介して底角部に取付けられるため、弾性線材(３)の一端が滑ってずれることなく固定され、魚のあたりが道糸（４）に確実に伝わるものとなり、釣果が期待出来るものとなる。
【００１０】
請求項４に示すようにコイルスプリング（２）の巻き付け間隔が、錘取付部（12）側で密着するように巻回ことにより、フック状の錘取付部（12）の開口が容易に閉鎖できると共に開口防止が確実なものとなる。
【図面の簡単な説明】
【００１１】
【図１】本発明品の実施形態の要部を示す説明図である。
【図２】本発明品によるカゴのすっぽ抜けが防止される作用を示す説明図である。
【図３】従来品の使用状態を示す説明図である。
【図４】従来品の釣針側が絡み付き易い状態を示す説明図である。
【発明を実施するための形態】
【００１２】
本発明の実施形態を図１に基づいて説明する。（１）はステンレス線材などで略トの字状に形成した天秤本体であり、該天秤本体（１）の上端に略三角形のリング状の道糸取付部（11）を設け、天秤本体（１）の下端にフック状の錘取付部（12）を設け、天秤本体（１）の略トの字状の斜辺下端にリング状のハリス取付部（13）を設けている。また道糸取付部（11）には、道糸（４）の端部が取付けられると共に後述する弾性線材(３)の端部も一緒に取付けられ、前記ハリス取付部（13）には、後述する弾性線材(３)の端部が容易に挿入可能な大きさのリング形状と成されている。又、前記天秤本体（１）はステンレス線材を折曲して、略トの字状に形成させると共に道糸取付部（11）の近辺には固定金具を用いて動かないように固定している。尚、前記天秤本体（１）の形状は略トの字状以外に、Ｔ字状としても良い。また前記道糸取付部（11）の略三角形状を直角三角形にするのが好ましい。
【００１３】
（２）は錘取付部（12）と道糸取付部（11）の間に装着したコイルスプリングであり、該コイルスプリング（２）は、フック状の錘取付部（12）の端末が内側に挿入されて図２に示すように開口が閉鎖される。またコイルスプリング（２）の巻き方は図２に示すように錘取付部（12）側を密着させ、道糸取付部（11）側の間隔をあけて巻くと、フック状の錘取付部（12）の端末がコイルスプリング（２）の内側に挿入し易くなると共に開口しにくくなる。この時の密着させる巻き数は、道糸取付部（11）のフック状の先端部（線端）がコイルスプリング（２）の内側に入って隠れる程度の巻き数とする。図中に於いてはコイルスプリング（２）の全長の３分の１から半分前後を密着させたものとするのが好ましい。
【００１４】
（３）は一端を道糸取付部（11）に取付けると共に他端をハリス取付部（13）に貫通させて天秤本体（１）に具備させた長尺な弾性線材であり、該弾性線材(３)の両端は取付け可能と成している。又、前記弾性線材(３)の一端にはスナップとサルカン（より戻しとも言う）が取付けられると共に他端にはサルカンが取付けられている。前記弾性線材(３)としては、金属製，ゴム製，合成樹脂製の単線又はより線を用いると良い。（４）は道糸取付部（11）に取付ける道糸であり、この時、サルカンを介して道糸（４）が取付けられたものとしても良い。（５）は錘取付部（12）に取付けた撒き餌用のカゴであり、（６）はカゴ（５）の下方に取付けた錘である。（７）はハリスで、（８）は釣針である。
【００１５】
次に本発明品の使用方法について説明する。先ず始めに天秤本体（１）の錘取付部（12）にカゴ（５）と錘（６）を取付ける。この時、図２（ａ）の状態で、カゴ（５）側の端部をフック状の錘取付部（12）に取付ける。次にコイルスプリング（２）を矢印のように右側に寄せ、図２（ｂ）の図中の矢印のようにフック状の先端を押えて線材同士を密着させてから、それをコイルスプリング（２）の内側に挿入すると共にそのコイルスプリング（２）を図２（ｂ）の図中の水平な矢印のように左側へ移動させる。すると、図２（ｃ）に示すようにフック部は閉鎖し、略リング部分だけが露出するものとなるため、カゴ（５）と錘（６）がすっぽ抜けることがないものとなる。
【００１６】
次に弾性線材(３)の取付け方について説明する。先ず弾性線材(３)の一端を道糸取付部（11）に取付ける。この時、図１に示すように弾性線材(３)の一端にスナップとサルカンを取付けると共に他端にサルカンを取付けた場合は、先にスナップを道糸取付部（11）に引掛けて取付けると良いが、予め下方のサルカンをハリス取付部（13）から挿入して貫通させておいても良い。そして、下方のサルカンに釣針（８）付きのハリス（７）を取付け、更に道糸（４）の端部を道糸取付部（11）に取付ける。その後、従来通り、カゴ（５）に撒き餌を入れ、釣針（８）に餌を付ければ、釣りの準備が完了するのである。
【００１７】
このようにして本発明品を用いて魚釣りを行うと、従来の問題点であったフック状の錘取付部（12）からカゴ（５）と錘（６）のすっぽ抜けが防止できるものとなる。また天秤本体（１）の略トの字状の斜辺が折曲して変形しても、釣針（８）付きのハリス（７）を弾性線材(３)が介在されて道糸取付部（11）に取付けることにより、変形した天秤本体（１）部分を介在させないので、魚のあたりが直接伝わるものとなる。このため、天秤本体（１）の略トの字状の斜辺が変形してもその影響を受けないので、釣果が向上するものとなると共にカゴ（５）や錘（６）からハリス(７)が所定の距離隔てた状態を維持できるため、従来の如きハリス(７)や釣針(８)が錘（６）側に絡み付くことが激減可能なものとなる。
【符号の説明】
【００１８】
１  天秤本体
11  道糸取付部
12  錘取付部
13  ハリス取付部
２  コイルスプリング
３  弾性線材
４  道糸
【図１】
2014147301.tif 000003
【図３】
2014147301.tif 000004
【図２】
2014147301.tif 000005
【図４】
2014147301.tif 000006